(57)【要約】【課題】通過ゲート、電動開閉入賞装置、球ガイドなどの盤面部品を取付基板上にコンパクトに配設すると同時に互いに関連性を持って作動するようにした複合入賞装置を提供する。【解決手段】遊技盤２９の前面に取り付けられる取付基板１と、前記取付基板１の前面上部中央に突設され通過する遊技球を検出する球検出センサ３を備えている通過ゲート４と、前記取付基板１の前面下半部に設けられ鉛直起立状に支持された一対の開閉羽根８ａ，８ｂが逆八字状に開動することで遊技球が入賞し得るようになる電動開閉入賞装置６と、前記開閉羽根８ａ，８ｂが鉛直起立状態の時に前記電動開閉入賞装置６の上部に生じる間隙を閉塞するように前記通過ゲート４と該電動開閉入賞装置６の中間位置に設けられた球ガイド５とを備え、前記球ガイド５は円弧状の内周面を前記通過ゲート４の直下に相対させ該通過ゲート４を通過した遊技球Ｂを側方へ排出するように設ける。【選択図】図１
2009066232.tif 000002
【特許請求の範囲】
【請求項１】
遊技盤の前面に取り付けられる取付基板と、前記取付基板の前面上部中央に突設されていて通過する遊技球を検出する球検出センサを備えている通過ゲートと、前記取付基板の前面下半部に設けられていて鉛直起立状に支持された一対の開閉羽根が逆八字状に開動することで遊技球が入賞し得るようになる電動開閉入賞装置と、前記開閉羽根が鉛直起立状態の時に前記電動開閉入賞装置の上部に生じる間隙を閉塞するように前記通過ゲートと該電動開閉入賞装置の中間位置に設けられた球ガイドとを備え、前記球ガイドは円弧状の内周面が前記通過ゲートの直下に相対することで該通過ゲートを通過した遊技球を側方へ排出することを特徴とする複合入賞装置。
【請求項２】
前記取付基板を前記遊技盤の前面下部中央に取り付けると共に、前記球ガイドから遊技球が排出される方向が遊技盤上へ遊技球が発射される側と反対側となるように該球ガイドの球排出方向を設定したことを特徴とする請求項１に記載の複合入賞装置。
【発明の詳細な説明】
【技術分野】
【０００１】
本発明は、パチンコ遊技機の遊技盤上に設けられる複合入賞装置に関するものである。
【背景技術】
【０００２】
第２種パチンコ遊技機は、例として図５に示したように、遊技盤１０１の中央に設けられたセンター役物１０２と、前記センター役物１０２の両脇部の遊技領域に其々設けられた通過ゲート１０３と、前記センター役物１０２の下方の遊技領域に設けられた電動開閉入賞装置１０４などの盤面部材から主に構成され、これらの周囲に風車や釘等のその他の盤面部材が配置されている。ここで、センター役物１０２は、電気的駆動源の作動により開動する一対の開閉羽根１０５を上端両脇部に有しており、この開閉羽根１０５が起立状態の時は球入口１０６が閉塞されて遊技球が前記センター役物１０２内へ流入不能となり、逆八字状態に開動した時には球入口１０６が開放されて遊技球が前記センター役物１０２内へ入り得る。また、通過ゲート１０３は通過する遊技球を検出する球検出センサが内蔵されている。さらに、電動開閉入賞装置１０４は、鉛直起立状に支持されていて電気的駆動源の作動により逆八字状に開動する一対の開閉羽根１０７が設けられる。そして、前記開閉羽根１０７が逆八字状に開動したときに遊技球が電動開閉入賞装置１０４に入賞可能となり、鉛直起立状態の時には遊技球が入賞不能となるように、電動開閉入賞装置１０４の上方に障害釘１０８が三角状に配置されている。
【０００３】
このような第２種パチンコ遊技機は、通過ゲート１０３に内蔵された球検出センサが遊技球の通過を検出すると、電動開閉入賞装置１０４の開閉羽根１０７が逆八字状に開動して遊技球が入賞し得るようになり、さらに、この電動開閉入賞装置１０４に遊技球が入賞すると、センター役物１０２の開閉羽根１０５が逆八字状に開動して遊技球が球入口１０６から該センター役物１０２内に入り得るようになる。そして、前記センター役物１０２内に入った遊技球が該センター役物１０２内に設けられた特別入賞口１０９に入賞すると、遊技状態が通常状態から大当たり状態に遷移して多数の賞球が遊技者に払い出されるように構成されている。このような遊技機としては、例えば下記特許文献１に挙げられるものがある。
【特許文献１】特開２００３−３４００２４号公報
【発明の開示】
【発明が解決しようとする課題】
【０００４】
上記のような第２種パチンコ遊技機の遊技盤１０１上に設けられたセンター役物１０２は、視覚的なインパクトを向上させて遊技者の注目を集めるために、大面積の液晶画面を内蔵したり又は周囲の装飾性を高めたりしながら、大型に形成されることが多くなっている。このようにセンター役物１０２を大型化すると、当然のことながら遊技領域内の他の遊技スペースは相対的に減少し、特にセンター役物１０２の両脇部の遊技スペースの幅を広く確保しておくことが難しくなる。従来、このセンター役物１０２の両脇部の遊技スペースは、遊技球の通過を検出して電動開閉入賞装置１０４を開放させる通過ゲート１０３が設けられることが多いが、遊技スペースを十分に確保できないことから通過ゲート１０３を配設し難くなる問題が生じている。このような問題を解決するには、例えば、通過ゲート１０３の取り付け位置をセンター役物１０２の両脇部の遊技スペースではなく、センター役物１０２の下方の遊技スペースに変更することが考えられる。
【０００５】
ところで、センター役物１０２の下方の遊技スペースは、図５に示したように、電動開閉入賞装置１０４とその上方に障害釘１０８が設けられている。よって、通過ゲート１０３をセンター役物１０２の下方の遊技スペースに移設するにあたっては、障害釘１０８のさらに上方に配置することになる。しかし、センター役物１０２の下方の遊技スペースは縦に狭いことから、通過ゲート１０３から電動開閉入賞装置１０４までの縦方向の距離を短くしてコンパクトに配設する必要が生じる。
【０００６】
一方で、通過ゲート１０３と障害釘１０８を接近させ過ぎると、障害釘１０８に衝突して跳ね返った遊技球が通過ゲート１０３の球通過センサにもう一度検出されて、いわゆる二重検出が発生する頻度が高くなることが懸念される。また、跳ね返った遊技球が、通過ゲート１０３を通過しようとしている次の遊技球に衝突して該遊技球の進路を妨げてしまったり、さらには、前記遊技球同士が接触したまま通過ゲート１０３に引っ掛かってしまう等の問題が発生する可能性が増大することが考えられる。したがって、通過ゲート１０３を障害釘１０８の直上に接近させて設置して通過ゲート１０３と電動開閉入賞装置１０４との距離を狭めることはできない。
【０００７】
そこで、図６に示したように、電動開閉入賞装置１１０の上方に扁平三角形状の障害体１１１を配置して、通過ゲート１１２を前記障害体１１１により接近させて設置する方法が考えられる。つまり、障害体１１１によって上記障害釘１０８を置き換える方法である。しかし、このような障害体１１１は、通過ゲート１１２を通過した遊技球の激しい衝突が何度も繰り返されることから、変形、破損、磨耗などを回避することが難しく、これよって遊技に不具合が生じる可能性が高くなる問題が考えられる。
【課題を解決するための手段】
【０００８】
そこで、本発明は上記のような課題を解決するための複合入賞装置を提供するもので、遊技盤の前面に取り付けられる取付基板と、前記取付基板の前面上部中央に突設されていて通過する遊技球を検出する球検出センサを備えている通過ゲートと、前記取付基板の前面下半部に設けられていて鉛直起立状に支持された一対の開閉羽根が逆八字状に開動することで遊技球が入賞し得るようになる電動開閉入賞装置と、前記開閉羽根が鉛直起立状態の時に前記電動開閉入賞装置の上部に生じる間隙を閉塞するように前記通過ゲートと該電動開閉入賞装置の中間位置に設けられた球ガイドとを備え、前記球ガイドは円弧状の内周面が前記通過ゲートの直下に相対することで該通過ゲートを通過した遊技球を側方へ排出することを特徴とする。
【０００９】
また、本発明の複合入賞装置は、前記取付基板を前記遊技盤の前面下部中央に取り付けると共に、前記球ガイドから遊技球が排出される方向が遊技盤上へ遊技球が発射される側と反対側となるように該球ガイドの球排出方向を設定したことを特徴とする。
【発明の効果】
【００１０】
請求項１に係る発明の複合入賞装置では、通過ゲートの直下に相対するように球ガイドの円弧状の内周面を設けたことから、通過ゲートを通過した遊技球は前記球ガイドの円弧状の内周面に沿って滑らかに移動しながら側方に排出されるようになり、遊技球が球ガイドに衝突して跳ね返ることがなくなる。よって、通過ゲートと球ガイドの縦の距離を非常に短くすることが可能になる。さらに、遊技球が球ガイドに対して激しく衝突しないことから、遊技球が球ガイドを変形させたり、破損させたり、または磨耗させたりすることも防止できる。また、球ガイドによって遊技球が滑らかに側方に排出されることから、球ガイドと電動開閉入賞装置との縦の距離も非常に短くすると同時に電動開閉入賞装置の開閉羽根が鉛直起立状態の時に該電動開閉入賞装置の上部に生じる間隙を閉塞することができるようになる。そして、球ガイドから排出された遊技球は、開閉羽根が鉛直起立状態の時に電動開閉入賞装置に入賞不能となり、開閉羽根が逆八字状態の時に入賞し得るようになって、球ガイドと電動開閉入賞装置が連携して機能するようになる。
【００１１】
このように、本発明の複合入賞装置は、通過する遊技球を検出する通過ゲートと、遊技球を側方に排出する球ガイドと、電動開閉入賞装置とが互いに連携して機能するように一つの取付基板上に配設することにより、縦方向の寸法を短くコンパクトにすることができる。従って、センター役物の下方の遊技スペースに無理なく取り付けられるようになる。また、通過ゲートと球ガイドと電動開閉入賞装置とを一つの部品として複合入賞装置にまとめることができるので、遊技盤に取り付ける部品点数が減少し、取り付け作業を簡略化できると共にコストを軽減できる。
【００１２】
さらに、請求項２に係る発明の複合入賞装置によれば、球ガイドから遊技球が排出される方向は該遊技球が遊技領域に発射される側と反対側であり、前記球ガイドが設けられた取付基板は前記遊技盤の前面下部中央に取り付けられることから、遊技球は遊技盤の左上位置から遊技領域に発射されて、前記通過ゲートを通過した後に球ガイドよって遊技領域の右下方向に排出されるようになる。従って、遊技球の流下方向が一定の方向になり、遊技球同士の衝突を防止できるようになる。
【発明を実施するための最良の形態】
【００１３】
次に本発明の実施形態を図面に従い説明する。図１は本発明に係る複合入賞装置の斜視図、図２は正面図、図３は縦断面図である。また、図４は本発明に係る複合入賞装置を遊技盤に取り付けた際の全体正面図である。本発明に係る複合入賞装置は、通過する遊技球を検出する通過ゲート４と、遊技球を側方に排出する球ガイド５と、電動開閉入賞装置６とが、取付基板１上に配設されることで大略構成される。
【００１４】
取付基板１は、下部中央に入球口２が開設されて、前面上部中央に球検出センサ３を内部に備えた通過ゲート４が突設される。さらに、前記通過ゲート４の直下にあたる取付基板１の前面に、曲面状に形成された球ガイド５が突設される。この球ガイド５の円弧状の内周面は、始端が左上で終端が右下である右下がり傾斜状であり、前記始端を該通過ゲート４の側方直下に位置させることで前記通過ゲート４の下部と相対するように設けられる。
【００１５】
電動開閉入賞装置６は球受部材７と該球受部材７に内設された一対の開閉羽根８ａ，８ｂから構成される。球受部材７は取付基板１の前面下部中央に固設されて該球受部材７と該取付基板１の間に支軸９ａ，９ｂが架設され、前記一対の開閉羽根８ａ，８ｂは鉛直起立および逆八字状傾動自在に前記支軸９ａ，９ｂに軸支される。そして、開閉羽根８ａ，８ｂの裏側には係合軸１１ａ，１１ｂが一体に形成されていて、前記係合軸１１ａ，１１ｂの先端は前記入球口２の両側部に挿通されるようにして取付基板１の裏面に突出されている。また、透孔１２ａ，１２ｂは取付基板１を遊技盤の前面に固設するためのビスの挿通孔であり、軸受部１３は取付基板１の前面に形成されて支軸９ａ，９ｂの後端部が嵌着される部材である。さらに、取付基板１の裏面には前記入球口２より流入した遊技球を後方へ導く緩後傾状の球誘導樋１４が形成されている。
【００１６】
ソレノイド１５は空芯の導電コイル（図示せず）が内部に設けられて、その中心に軸方向に進退動し得るようにプランジャー１６が配置される。プランジャー１６の先端鍔部１７が設けられた一端は、導電コイルの前面から突出されるとともに、外周に復帰用コイルバネ１８がソレノイド１５の前面とプランジャー１６の先端鍔部１７の間に圧縮状態となるように装着される。ソレノイド１５は、導電コイルに直流電流を印加して励磁したときにプランジャー１６がコイルバネ１８を収縮させてソレノイド１５中に吸引され、消磁させたときはプランジャー１６はコイルバネ１８の弾性により前方に突出する。
【００１７】
取付基板１の裏面に装着される機枠体１９は、後部に前面が開口する角形の収容部２０が一体に形成されて、ここに前記ソレノイド１５が組み込まれる。伝動部材２１はソレノイド１５内のプランジャー１６の進退動を開閉羽根８ａ，８ｂに伝動するための部材で、断面略Ｌ字形の横断板２２の両端に一対の側板部２３ａ，２３ｂが一体に形成され、この側板部２３ａ，２３ｂの後方中央付近の両外面に支持軸２４ａ，２４ｂが一体に突設されている。前記支持軸２４ａ，２４ｂは前記機枠体１９の両側内面に形成された軸受孔（図示せず）に遊挿されて、伝動部材２１は回転自在に支持されている。また、側板部２３ａ，２３ｂの前端縁に形成された二股状部２５ａ，２５ｂの凹みに前記係合軸１１ａ，１１ｂの先端が遊嵌される。側板部２３ａ，２３ｂの内面に突出状に形成された片持軸２６ａ，２６ｂはプランジャー１６の先端鍔部１７の後面が当接して、さらに前記先端鍔部１７の前面は前記横断板２２に当接する。なお、図３は断面図であることから、側板部２３ｂ、支持軸２４ｂ、二股状部２５ｂ、および片持軸２６ｂは図示されていない。
【００１８】
このように構成した電動可変入賞装置６では、ソレノイド１５が消磁しているとき、コイルバネ１８の弾性によりプランジャー１６は前方に突出状態となっており、前記プランジャー１６の先端鍔部１７が横断板２２を押圧して伝動部材２１は支持軸２４ａ，２４ｂを支点として前傾し二股状部２５ａ，２５ｂが係合軸１１ａ，１１ｂを押下することから、開閉羽根８ａ，８ｂは鉛直起立状態となる。この状態で開閉羽根８ａ，８ｂ間の上部の間隙は、図２に点線で示したように、前記球ガイド５によって閉塞されて遊技球Ｂは電動開閉入賞装置６に入賞不能となる。また、ソレノイド１５が励磁されると、コイルバネ１８の弾性に抗してプランジャー１６は後方に吸引されて、先端鍔部１７が片持軸２６ａ，２６ｂを引っ張り、伝動部材２１を後傾させて二股状部２５ａ，２５ｂの凹部が係合軸１１ａ，１１ｂを押し上げることから開閉羽根８ａ，８ｂは、図２に二点鎖線で示したように、逆八字状に開動する。この状態では、前記球ガイド５の円弧状の内周面に沿って流下する遊技球Ｂは電動開閉入賞装置６に入賞し易くなる。なお、電動開閉入賞装置６に入賞した遊技球Ｂは入球口２を通過して球誘導樋１４に流れ込み、該球誘導樋１４の後方から排出される。
【００１９】
図４は本発明の複合入賞装置２７が取り付けられたパチンコ遊技機である。大型のセンター役物２８は遊技盤２９の中央に設置されて、このセンター役物２８の上部には、一対の開閉羽根３０ａ，３０ｂが設けられている。この開閉羽根３０ａ，３０ｂは、球入口３１を閉塞するように鉛直起立状に支持されて、電気的駆動源の作動により逆八字状に開動して球入口３１を開放し、遊技球が前記センター役物内に流入し得るようにする。また、遊技盤２９の両側には装飾板３２ａ，３２ｂが設けられていて、さらに、風車３３、普通入賞口３４、連続配置の誘導釘３５が其々適宜位置に配置されている。そして、複合入賞装置２７は前記遊技盤２９の下部中央にあたる前記センター役物２８の下方に取り付けられる。ここで、前記センター役物２８の両脇と装飾板３２ａ，３２ｂ間の幅は大変狭くなっており、ここへは大型の盤面部品が取り付け難いことがわかる。
【００２０】
次に、本発明の複合入賞装置２７が取り付けられたパチンコ遊技機の遊技状態を説明する。遊技球は左上の発射口３６から遊技領域３７へ発射される。遊技領域３７を下方へと流下して遊技盤２９の下部中央に取り付けられた複合入賞装置２７の通過ゲート４を通過した遊技球Ｂは、図２に矢印で示したように、球ガイドによって側方へ排出される。この時、電動開閉入賞装置６の開閉羽根８ａ，８ｂは鉛直起立状態であるから、遊技球が該電動開閉入賞装置６に入賞することはない。一方で、遊技球Ｂが通過ゲート４を通過したことにより、遊技盤２９の右下部に設けられた図柄表示装置３８が作動し、○印と×印のランプが交互に点滅する。上記点滅作動の終了時に○印が点灯していると、当たりとなり、電動開閉入賞装置６の開閉羽根８ａ，８ｂは、図２に二点鎖線で示したように、逆八字状に開動して遊技球が入賞可能となる。これら開閉羽根８ａ，８ｂは球ガイド５の直下に位置していることから、次に球ガイド５によって側方へ排出された遊技球Ｂは、電動開閉入賞装置６に入賞し易くなる。入賞可能となった電動開閉入賞装置６に遊技球が入賞すると、センター役物２８の上部に設けられた一対の開閉羽根３０ａ，３０ｂが、図４に二点鎖線で示したように、逆八字状に開動して遊技球が球入口３１からセンター役物２８内に入り得るようになる。そして、センター役物内２８に入った遊技球が特別入賞口３９に入賞すると、遊技状態が通常状態から大当たり状態に遷移し、遊技者は多数の賞球を得ることができるようになる。
【００２１】
上記実施例にて示したように本発明の複合入賞装置２７は、通過ゲート４と球ガイド５と電動開閉入賞装置６とが互いに連携して機能し且つ縦方向に短くコンパクトな大きさに形成されている。従って、センター役物２８の下方の遊技スペースに無理なく取り付けることが可能である。また、通過ゲート４を通過した遊技球は球ガイド５の円弧状の内周面によってスムーズに側方へ排出されるから、遊技球の跳ね返りによる二重検出や遊技球同士の接触が発生し難く、また、遊技球の衝突によって球ガイド５が変形、破損、磨耗することを回避でき、長期間使用しても不具合を生じさせない信頼性の高い複合入賞装置を提供することができる。
【図面の簡単な説明】
【００２２】
【図１】本発明に係る複合入賞装置の斜視図。
【図２】本発明に係る複合入賞装置の正面図。
【図３】本発明に係る複合入賞装置の縦断面図。
【図４】本発明に係る複合入賞装置を遊技盤に取り付けた際の全体正面図。
【図５】第二種パチンコ遊技機の全体正面図。
【図６】三角状の障害体を球ゲートと電動開閉入賞装置の間に設けた複合入賞装置の正面図。
【符号の説明】
【００２３】
１              取付基板
２              入球口
３              球検出センサ
４              通過ゲート
５              球ガイド
６              電動開閉入賞装置
７              球受部材
８ａ，８ｂ      開閉羽根
１５            ソレノイド
１６            プランジャー
１７            先端鍔部
１８            復帰用コイルバネ
１９            機枠体
２１            伝動部材
２７            複合入賞装置
２８            センター役物
２９            遊技盤
３０ａ，３０ｂ  開閉羽根
３１            球入口
３２ａ，３２ｂ  装飾板
３６            発射口
３７            遊技領域
Ｂ              遊技球
【図１】
2009066232.tif 000003
【図２】
2009066232.tif 000004
【図３】
2009066232.tif 000005
【図４】
2009066232.tif 000006
【図５】
2009066232.tif 000007
【図６】
2009066232.tif 000008